(57)【特許請求の範囲】
【請求項１】
複数の機能を実行することに適合される電子装置であって、機能はアプリケーション及び／又はインターフェースであり、前記電子装置は、
複数の電子インジケータであって、前記複数の電子インジケータは有効又は無効にされ、前記複数の電子インジケータは有効にされるとエネルギーを消費し、前記複数の電子インジケータの各々は有効にされると、機能の複数の状態を示すことに適合され、前記状態の少なくとも１つは、前記機能が通常動作状態で動作する安定モードに対応する、複数の電子インジケータと、
前記機能の全てが前記安定モードにあることを示すための安定モードインジケータと、
前記機能が全て前記安定モードに到達する時、前記安定モードインジケータを自動的に有効にし、前記電子インジケータの全てを自動的に無効にし、前記機能のいずれか１つが前記安定モードではなくなる時、前記安定モードインジケータを無効にし、前記電子インジケータの全てを有効にするためのエコモード設定手段と、
を備えた、前記電子装置。
【請求項２】
前記安定モードインジケータは、前記複数の電子インジケータの１つである、請求項１記載の電子装置。
【請求項３】
前記安定モードインジケータは、前記複数の電子インジケータの１つとは異なる電子インジケータである、請求項１に記載の電子装置。
【請求項４】
前記電子インジケータは、発光ダイオードである、請求項１から３のいずれかに記載の電子装置。
【請求項５】
前記安定モードインジケータは、機械的なコンポーネントである、請求項１に記載の電子装置。
【請求項６】
各機能に関して、前記安定モードに対応する前記状態を設定するための設定手段を備えた、請求項１から５のいずれかに記載の電子装置。
【請求項７】
前記機能は、前記電子装置で実行しているサービス又は前記電子装置のインターフェースである、請求項１から６のいずれかに記載の電子装置。
【請求項８】
複数の機能を実行することに適合される電子装置における方法であって、機能はアプリケーション及び／又はインターフェースであり、前記電子装置は、複数の電子インジケータであって、前記複数の電子インジケータは有効又は無効にされ、前記複数の電子インジケータは有効にされる時、エネルギーを消費し、前記複数の電子インジケータの各々は有効にされる時、機能の複数の状態を示すことに適合され、前記状態の少なくとも１つは、前記機能が通常動作状態で動作する安定モードに対応する、複数の電子インジケータを含み、前記電子装置は、前記機能の全てが前記安定モードにあることを示す安定モードインジケータを含み、
前記方法は、
前記機能が全て前記安定モードに到達する時、前記安定モードインジケータを自動的に有効にし、前記電子インジケータの全てを自動的に無効にするステップと、
前記機能のいずれか１つが前記安定モードではなくなる時、前記安定モードインジケータを無効にし、前記電子インジケータの全てを有効にするステップと
を含む、前記方法。
【請求項９】
前記電子インジケータを有効又は無効にする前に、各機能に関して、前記安定モードに対応する状態を設定するステップを含む、請求項８に記載の方法。
【請求項１０】
前記機能の全てが前記安定モードになった時、タイマーをスタートさせ、タイマーが終了した時、前記安定モードインジケータを有効にし、前記電子インジケータの全てを無効にするステップを含む、請求項８又は９に記載の方法。
【発明の詳細な説明】
【技術分野】
【０００１】
本発明は、住宅用ゲートウエイに関し、特に、住宅用ゲートウエイのＬＥＤインジケータ群のための消費エネルギー節減方法に関する。本発明は、ある時点においてＬＥＤが安定モード表示状態に入るとき、ＬＥＤインジケータ群を含む任意のシステムに使用可能である。
【背景技術】
【０００２】
この「背景技術」の記載は、後述される及び／又は特許請求の範囲に記載されている本発明の種々の特徴に関連している技術の種々の内容を、本明細書の読者に紹介するための記載である。この「背景技術」の記載は本明細書の読者に対して背景技術情報を提供するのに資するものであり、よって、本発明の種々の内容・特徴のより良い理解を可能にすると思われる。この「背景技術」の説明は前記意図の下に読まれるべきものであり、従来技術であると出願人が認めている内容を記載しているのではない。
【０００３】
ホームゲートウエイは、通常、電源を入れて動作可能状態になる時に、複数の状態を経る。新しい状態は、それ以前の状態に依存する場合もある。通常、異なる状態が複数の発光ダイオード（以下、ＬＥＤと称す）によって示される。例えば、まず電源ＬＥＤが電源ＯＮ表示に設定される。その後、イーサネットＬＥＤ、ＷＬＡＮのＬＥＤ、ＷＡＮ物理層（例えば、ｘＤＳＬ／ＡＴＭ）ＬＥＤ、ＷＡＮイーサネット＆認証ＬＥＤ、ＷＡＮによるＩＰ接続（ＩＰアドレス）ＬＥＤ及びＶｏＩＰサービスＬＥＤが、関連するサービス起動状態を示す。上記した各ＬＥＤ表示及び関連機能起動は、複数の移行サブステート（transition sub-state）を経ることもあり、当該移行サブステートは異なるＬＥＤコードによって表示される。例えば、異なる色を用いて、点滅又は常時点灯によって表示される。ＬＥＤによって示されるステートモード（State mode）情報は、ポート又はサービスがアクティブなのかアクティブでないのかを示すことができる。この情報は、ユーザにとって非常に有用である。サービスが不能である場合、ユーザはＬＥＤ表示を見て、システムがどの状態に到達しているかを知ることができる。例えば、ＩＰ接続はなされたがＶｏＩＰのＬＥＤがオフのままであるならば、ユーザは、インターネットサーフィンをすることができることが分かり且つＩＰ電話による音声通話ができないことが分かる。通信ポート又はサービスがアクティブである時、その後トラフィックが発生する場合がある。アクティブなトラフィックもＬＥＤで表示することができる。ポート又はサービスがアクティブであるかを示すのと同じＬＥＤを使用して、当該ポート又はサービスが実際にトラフィックを運んでいるかを示すこともできる。これは、ＬＥＤが点滅することによって示される。例えば、イーサネットポートトラフィックは通常、ポートに付設されたトラフィックモードＬＥＤによって示される。ステートモードＶｏＩＰＬＥＤは、通話が行われると、トラフィックモードＬＥＤと同じように点滅し始める。
【０００４】
一旦ＬＥＤが通常動作状態を示すと、ＬＥＤの情報価値はユーザにとってかなり低くなる。トラフィックモードＬＥＤはトラフィックを示すが、ほとんどのユーザは当該情報を使用しない。また、ＬＥＤはしばしば、ゲートウエイの裏側に設けられている。それにもかかわらず、たとえ１つのアクティブなＬＥＤがほとんどエネルギーを消費しないとしても、複数のアクティブなＬＥＤは無視できない量のエネルギーを消費する。
【発明の概要】
【発明が解決しようとする課題】
【０００５】
本発明は、従来技術におけるＬＥＤエネルギー消費に関する複数の問題のうちの少なくとも幾つかを、装置におけるＬＥＤの使用を最適化する方法及びそのような装置を提供することによって解決することを意図している。
【課題を解決するための手段】
【０００６】
本発明は、複数の機能を実行することに適合される電子装置に関する。電子装置は、複数の電子インジケータであって、前記複数の電子インジケータは有効に（enable）又は無効に（disable）され、有効にされたときはエネルギーを消費し、前記複数の電子インジケータの各々は、機能の複数の状態を表示することができ、当該状態の少なくとも１つは安定モードに対応する、複数の電子インジケータと、全ての機能が安定モードにあることを示すための第２のインジケータと、全ての機能が安定モードにある時、前記第２のインジケータを有効にし、前記複数の電子インジケータの全てを無効にし、少なくとも１つの機能が安定モードにない時、前記第２のインジケータを無効にし、前記複数の電子インジケータの全てを有効にするためのエコ（ＥＣＯ）モード設定手段とを備える。
【０００７】
１つの実施形態では、前記第２のインジケータは、前記複数の電子インジケータの１つである。
【０００８】
１つの実施形態では、前記第２のインジケータは、前記複数の電子インジケータの１つとは異なる電子インジケータである。
【０００９】
１つの実施形態では、前記電子インジケータは、発光ダイオードである。
【００１０】
１つの実施形態では、前記第２のインジケータは、２つの位置に設定することができるコンポーネントである。
【００１１】
１つの実施形態では、前記電子装置は、各機能について、安定モードに対応する状態を設定するための設定手段を含む。
【００１２】
１つの実施形態では、前記機能は、前記電子装置で実行しているサービス又は前記電子装置のインターフェースである。
【００１３】
本発明の他の目的は、複数の機能を実行することに適合される電子装置での方法である。電子装置は、複数の電子インジケータであって、前記複数の電子インジケータは有効に又は無効にされ、有効にされたときはエネルギーを消費し、前記複数の電子インジケータの各々は、機能の複数の状態を示すことに適合され、当該状態の少なくとも１つは安定モードに対応する、複数の電子インジケータと、全ての機能が安定モードにあることを示すための第２のインジケータとを備える。前記方法は、全ての機能が安定モードにある時、前記第２のインジケータを有効にし、前記複数の電子インジケータの全てを無効にするステップと、少なくとも１つの機能が安定モードにない時、前記第２のインジケータを無効にし、前記複数の電子インジケータの全てを有効にするステップとを含む。
【００１４】
１つの実施形態では、前記方法は、前記複数の電子インジケータを有効に又は無効にする前に、各機能について、安定モードに対応する状態を設定するステップを含む。
【００１５】
１つの実施形態では、前記方法は、全ての機能が安定モードになった時、タイマーをスタートさせ、タイマーが終了した時、前記第２のインジケータを有効にし、前記複数の電子インジケータの全てを無効にするステップを含む。
【図面の簡単な説明】
【００１６】
本発明は、添付図面を参照して、限定的な意図は全く無い、下記の実施形態及び実施例によってより良く理解され説明されるであろう。
【００１７】
【図１】実施形態に基づいた住宅用ゲートウエイを示す図である。
【図２】実施形態に基づいたユーザインターフェースを示す図である。
【図３】実施形態に基づいたＬＥＤ状態を示す図である。
【図４】実施形態に基づいたＬＥＤのＥＣＯモード機能のフローチャートである。
【００１８】
図１において示されているブロックは純粋に機能的なエンティティであり、物理的に分離されたエンティティに必ずしも対応する必要はない。つまり、ブロックはハードウエア又はソフトウエアとして設けることができ、もしくは、１又は複数の集積回路に実装することもできる。
【発明を実施するための形態】
【００１９】
本発明の説明及び図面は、本発明の明確な理解のために、関連構成要素を簡素化して表していると共に、明確化のために、典型的なデジタルマルチメディアコンテンツ配信方法及びシステムに見られる多くの他の構成要素を省略している。しかしながら、そのような構成要素は当該技術分野では周知であるので、当該構成要素の詳細な説明はここに記載しない。本明細書の開示は、当業者に公知である変更及び変形・修正全て含む。
【００２０】
例示的な実施形態は住宅用ゲートウエイのフレームワークに入るが、本発明はこの特定の環境に限定されず、複数のＬＥＤを使用して装置の状態を表示する他のフレームワークにも適用可能である。即ち、ＬＥＤによって表示することができ、有効に又は無効にすることができる複数のサービス又は機能を提供する任意の電子装置に使用することができる。より一般的な表現をすれば、本発明は、本実施形態のＬＥＤと機能的に同等な、エネルギーを消費する複数のインジケータを備えた装置に使用することができる。そのようなインジケータは、ランプとすることができる。
【００２１】
本実施形態に係る住宅用ゲートウエイ１は、図１に例示されている。特に、本実施形態に関連するモジュールが図示されている。このゲートウエイは、住宅用ゲートウエイ技術において周知の、ＷＡＮインターフェース１１、ＬＡＮインターフェース１３、及びＷＬＡＮインターフェース１２などの複数のインターフェースを備える。ゲートウエイはまた、インターネットへの接続性をセットアップ及び制御することに適合されるＷＡＮＩＰ接続モジュール２１を備える。ゲートウエイはまた、ＩＰサービスを介した音声通話をセットアップし、制御することに適合されるＶｏＩＰサービスモジュール２２を備える。ゲートウエイは、住宅用ゲートウエイ技術において周知の手法により、ゲートウエイの複数のインターフェース又はサービスのそれぞれの状態を表示することに適合される複数のＬＥＤを含むＬＥＤインジケータモジュール３を備える。本実施形態によれば、ＬＥＤインジケータモジュールはさらに、エコＬＥＤ（ＥＣＯ  ＬＥＤ）を備える。以下の記載において、エコＬＥＤはオールステディＬＥＤ（ａｌｌ−ｓｔｅａｄｙ  ＬＥＤ）と称されることもあり、後述されるようにインターフェース及びサービスの状態を表示することに適合される。エコＬＥＤ設定モジュール４は、後述されるＬＥＤ消費エネルギー低減機能を実行することに適合されるモジュールである。ＬＥＤ消費エネルギー低減機能のパラメータは、ユーザインターフェース２を介して設定することができる。各ＬＥＤは、当該技術分野では周知の方法で独立してエネルギーを消費する。
【００２２】
より一般的に言えば、ＬＥＤは、サービス又はインターフェースである機能を表す。ＬＥＤは、ＯＦＦ状態から、機能が通常動作すると期待されている移行のない最終通常動作状態（non-transient final normal operation state）に至るまでの複数のサブステート（sub-state）を示す。この条件に到達した時、トラフィックが生じた場合、その後ＬＥＤはトラフィック表示を示すことができる。
【００２３】
機能を表すＬＥＤの表示は、図３に示されている。また、図３は、安定モードとみなすことができる機能状態を示す。図３によれば、機能は無効にされたとき安定モードにあり、ＬＥＤはＯＦＦ（オフ）となる。また、機能は有効にされて通常動作状態で動作しているときにも、安定モードにある。ＬＥＤは、通常動作状態においてトラフィックを示す。
【００２４】
下記の表は、ＬＥＤが表す機能での複数のＬＥＤ及び機能安定モードを示している。例えば、緑に設定された電源ＬＥＤは通常動作を表し、安定モードに対応している。イーサネットＬＥＤは、緑のとき、安定モードに対応している。
【００２５】
【表１】
0005639644.tif 000002
【００２６】
0005639644.tif 000003
【００２７】
本実施形態によれば、「オールステディモード」は、住宅用ゲートウエイが通常動作モードで動作しているモードに対応する。これは、ゲートウエイのサービス及びインターフェースが安定モードで動作していることを意味する。
【００２８】
本実施形態によれば、ゲートウエイは、エコ（ＥＣＯ）モード機能を備える。ゲートウエイがいくらかの時間オールステディモードにあった後、全てのＬＥＤはオフにされる。オールステディ表示ＬＥＤである別のＬＥＤはオンにされ、ゲートウエイがオールステディモードに入ったことを示す。もちろん、新しいＬＥＤを使用する代わりに、インターフェース又はサービスに用いられたＬＥＤをオールステディ表示ＬＥＤとして再び使用してもよい。複数のＬＥＤの代わりに１つのオールステディ表示ＬＥＤを使用すれば、ゲートウエイのエネルギー消費を低減することができる。
【００２９】
エコＬＥＤ設定モジュール４は、エコモード機能の挙動を設定することを可能にする。エコＬＥＤ設定モジュール４、エコモード機能の自動的な使用を起動及び停止することを可能にする。起動される場合、ゲートウエイがオールステディモードにある時、エコＬＥＤは自動的にオンされる。以下でさらに説明する図４によると、これは、全てのＬＥＤが安定モードになった時に、時間Ｔｓ経過後、これらのＬＥＤがオフにされ、オールステディＬＥＤがオンとなることを意味する。
【００３０】
また、エコＬＥＤ設定モジュール４は、オールステディＬＥＤ表示となっているＬＥＤを設定することを可能にする。全ての安定モードＬＥＤをエコＬＥＤに交換することは、ゲートウエイの電力消費を最適化することを可能にする。安定モードＬＥＤのサブセットだけを交換することは、いくつかのインターフェース又はサービスの挙動を制御し続けながら電力消費を低減することを可能にする。例えば、エンドユーザは、ＷＬＡＮインターフェースの使用を制御したいと望むことがある。そのとき、安定モードＷＬＡＮインターフェースＬＥＤを含まない、安定モードインターフェースＬＥＤをエコＬＥＤに交換することによって、エコＬＥＤを設定することができる。この場合、ゲートウエイがオールステディモードに設定されると、ＷＬＡＮインターフェースに対応するＬＥＤはアクティブ状態のままである。
【００３１】
ユーザインターフェースは、システム管理者がＬＥＤ消費エネルギー低減機能、特にＬＥＤエコモードを、図２に示されるような情報を提供するスクリーン上で設定することを可能にする。ユーザインターフェースは、システム管理者にどのＬＥＤがＬＥＤエコモードであるのか、及びＬＥＤエコモードではないのかを示すことを可能にする。換言すると、複数のＬＥＤをエコモードに含ませることができ、ＬＥＤエコモードを起動／停止することができる。ＬＥＤ１、ＬＥＤ２等の代わりに、電源ＬＥＤ又はワイヤレスＬＥＤなどの適切な名称を使用することもできる。各ＬＥＤに対応する機能も示すことができる。
【００３２】
もちろん、ＬＥＤエコモードをローカルに設定する代わりに、システム管理者はＬＥＤエコモードをリモート設定することもできる。ＬＥＤエコモードは、ＣＥＰ  ＷＡＮマネージメントプロトコルＴＲ６９スタンダード、２００７年１２月のバージョン１．１などの設定プロトコルを使用して、オペレータによってリモート設定することもできる。
【００３３】
ユーザインターフェースは、ＴＳタイマー時間を設定することも可能にする。タイマー時間は、０秒から数分の間で設定することができる。
【００３４】
図４は、ＬＥＤエコモード機能の状態図を示している。期間Ｔｓは、ユーザに、ある期間、機能ＬＥＤが安定モードにあることを理解させることを可能にする。これにより、ユーザは良好なシステム動作を確認することができる。１つの機能が安定モードでなくなるとすぐに、オールステディＬＥＤがオフになり、他のＬＥＤがオンになり、当該他のＬＥＤが表す機能の実際のサブステートが示される。
【００３５】
ゲートウエイは、非安定（ＮＯＮ−ＳＴＥＡＤＹ）モードからスタートする。全ての機能が安定モードになると、ＴＳタイマーが起動し、ゲートウエイはオールステディモードになる。ＴＳタイマーが終了する時、ＬＥＤエコモードが設定され、全てのＬＥＤがオフになり、オールステディＬＥＤがオンになる。１つの機能が安定モードでなくなるとすぐに、オールステディモード又はＬＥＤエコモードが解除され、ゲートウエイは非安定モードになり、オールステディＬＥＤはオフになり、全てのＬＥＤがオンになり、それぞれの実際の状態を示すことになる。
【００３６】
もちろん、エンドユーザがＬＥＤエコモードに使用されるＬＥＤのサブセットを選択している場合、図４に示された図は当該選択されたＬＥＤのみに適用される。
【００３７】
実施形態において、オールステディモードは、有効にされるとエネルギーを消費する１つのＬＥＤ、すなわちオールステディＬＥＤによって示される。代替として、オールステディモードを機械的なコンポーネントを用いて示すこともできる。機械的なコンポーネントは、オン及びオフの２つの位置に設定することができる。一方の位置から他方の位置へ移動するためには、エネルギーを消費するインパルスを必要とする。
【００３８】
本明細書、特許請求の範囲及び図面において開示されている内容は、独立して又は任意の適切な組み合わせで用いることができる。上記した特徴・動作は、ハードウエア、ソフトウエア又はハードウエアとソフトウエアの組み合わせで適宜実装されてよい。
【００３９】
本明細書における「１つの実施形態」又は「実施形態」に関する記載は、当該実施形態に関連して説明された特定の特徴、構造又は性質が本発明の少なくとも１つの実施形態に含まれ得ることを意味している。明細書の複数の箇所における「１つの実施形態において」という表現は、必ずしも１つの同じ実施形態を意味しているわけではないし、必ずしも他の実施形態とは異なる別の実施形態又は代替実施形態を意味しているわけでもない。
【００４０】
特許請求の範囲に記載される参照番号は単なる例示であり、発明の技術的範囲を限定するものではない。
本発明は、以下の態様を含む。
［付記１］
複数の機能を実行することに適合される電子装置であって、機能はアプリケーション及び／又はインターフェースであり、前記電子装置は、
有効又は無効にされる複数の電子インジケータであって、前記複数の電子インジケータは有効にされるとエネルギーを消費し、前記複数の電子インジケータの各々は有効にされると、機能の複数の状態を示すことに適合され、前記状態の少なくとも１つは、前記機能が通常動作状態で動作する安定モードに対応する、複数の電子インジケータと、
前記機能の全てが前記安定モードにあることを示すための第２のインジケータと、
前記機能の全てが前記安定モードにある時、前記第２のインジケータを有効にし、前記電子インジケータの全てを無効にし、前記機能の少なくとも１つが前記安定モードにない時、前記第２のインジケータを無効にし、前記電子インジケータの全てを有効にするためのエコモード設定手段と
を備えたことを特徴とする電子装置。
［付記２］
前記第２のインジケータは、前記複数の電子インジケータの１つであることを特徴とする付記１記載の電子装置。
［付記３］
前記第２のインジケータは、前記複数の電子インジケータの１つとは異なる電子インジケータであることを特徴とする付記１に記載の電子装置。
［付記４］
前記電子インジケータは、発光ダイオードであることを特徴とする付記１から３のいずれかに記載の電子装置。
［付記５］
前記第２のインジケータは、機械的なコンポーネントであることを特徴とする付記１に記載の電子装置。
［付記６］
各機能に関して、前記安定モードに対応する前記状態を設定するための設定手段を備えたことを特徴とする付記１から５のいずれかに記載の電子装置。
［付記７］
前記機能は、前記電子装置で実行しているサービス又は前記電子装置のインターフェースであることを特徴とする付記１から６のいずれかに記載の電子装置。
［付記８］
複数の機能を実行することに適合される電子装置に使用される方法であって、機能はアプリケーション及び／又はインターフェースであり、前記電子装置は、有効又は無効にされる複数の電子インジケータであって、前記複数の電子インジケータは有効にされる時、エネルギーを消費し、前記複数の電子インジケータの各々は有効にされる時、機能の複数の状態を示すことに適合され、前記状態の少なくとも１つは、前記機能が通常動作状態で動作する安定モードに対応する、複数の電子インジケータと、前記機能の全てが前記安定モードにあることを示す第２のインジケータを含み、
前記方法は、
前記機能の全てが前記安定モードにある時、前記第２のインジケータを有効にし、前記電子インジケータの全てを無効にするステップと、
前記機能の少なくとも１つが前記安定モードにない時、前記第２のインジケータを無効にし、前記電子インジケータの全てを有効にするステップと
を含むことを特徴とする方法。
［付記９］
前記電子インジケータを有効又は無効にする前に、各機能に関して、前記安定状態に対応する状態を設定するステップを含むことを特徴とする付記８に記載の方法。
［付記１０］
前記機能の全てが前記安定モードになった時、タイマーをスタートさせ、タイマーが終了した時、前記第２のインジケータを有効にし、前記電子インジケータの全てを無効にするステップを含むことを特徴とする付記８又は９に記載の方法。
【図１】
0005639644.tif 000004
【図２】
0005639644.tif 000005
【図３】
0005639644.tif 000006
【図４】
0005639644.tif 000007